(57)【要約】【課題】棒状物と受け座部材とが、係止しない構造であっても、棒状物が容器本体の外部へ飛び出すおそれがなく、さらに、キャップを装着した際に、容器本体内における棒状物または受け座部材のガタツキを抑止する。【解決手段】容器本体２の内部に、棒状物Ｘ，Ｙの後端を支持する受け座部材５を前方付勢状態で前後動自在に収容する。容器本体２と受け座部材５との間にカム機構を設ける。棒状物Ｘ，Ｙまたは受け座部材５を後方に押圧操作することにより容器本体２の前端開口部から棒状物Ｘ，Ｙを収納、取り出し可能にする。棒状物収納状態で容器本体２の開口部にキャップ７を装着することにより、棒状物Ｘ，Ｙまたは受け座部材５が後方に押圧される。【選択図】  図５
2004307041.tif 000002
【特許請求の範囲】
【請求項１】
容器本体の内部に、棒状物の後端を支持する受け座部材を前方付勢状態で前後動自在に収容し、前記容器本体と受け座部材との間にカム機構を設け、棒状物または受け座部材を後方に押圧操作することにより容器本体の前端開口部から棒状物を収納、取り出し可能にした棒状物収納容器であって、棒状物収納状態で容器本体の開口部にキャップを装着し、前記キャップ装着により、棒状物または受け座部材が後方に押圧されることを特徴とする棒状物収納容器。
【請求項２】
前記カム機構が、容器本体内面に設けたカム溝とカム歯とからなるカム部と、前方に付勢され且つ前記カム部に係合可能な回転子と、前記回転子と前後に当接して前記回転子を回転させる、受け座部材に設けたカム斜面とからなり、キャップを装着した際の回転子の後方への移動開始から移動終了までの移動ストロークを、棒状物または受け座部材を後方へ押圧操作した際の回転子の後方への移動開始からカム歯と回転子との係合状態が解除されるまでの回転子の移動ストロークよりも小さく設定した請求項１記載の棒状物収納容器。
【発明の詳細な説明】
【０００１】
【発明の属する技術分野】
本発明は、棒状物収納容器に関する。本発明で、「前」とは、容器本体の開口側を指し、「後」とは、その反対側を指す。
【０００２】
【従来の技術】
従来、この種の棒状物収納容器において、例えば、特許文献１には、一端に開口部を有する収納室をケース体に形成し、該収納室内に収納体を係止しうる受止め部材を設けると共に、収納体の押圧操作で収納体を収納、取出し可能とするカム機構を設けた構造が開示されている。
【０００３】
【特許文献１】
実開昭６３−１７０７２号公報
【発明が解決しようとする課題】
前記従来の棒状物収納容器は、収納体（本願の棒状物）と受け止め部材（本願の受け座部材）とを係止させる構成であるが、もし、棒状物と受け座部材とが係止しない構造の場合、携帯時、棒状物が容器本体の外部へ飛び出すおそれがある。
【０００４】
本発明は、棒状物と受け座部材とが、係止しない構造であっても、棒状物が容器本体の外部へ飛び出すおそれがなく、さらに、キャップを装着した際に、容器本体内における棒状物または受け座部材のガタツキが抑止可能な棒状物収納容器を提供しようとするものである。
【０００５】
【課題を解決するための手段】
本発明は、容器本体２の内部に、棒状物Ｘ，Ｙの後端を支持する受け座部材５を前方付勢状態で前後動自在に収容し、前記容器本体２と受け座部材５との間にカム機構を設け、棒状物Ｘ，Ｙまたは受け座部材５を後方に押圧操作することにより容器本体２の前端開口部から棒状物Ｘ，Ｙを収納、取り出し可能にした棒状物収納容器１であって、棒状物収納状態で容器本体２の開口部にキャップ７を装着し、前記キャップ７装着により、棒状物Ｘ，Ｙまたは受け座部材５が後方に押圧されること（請求項１）を要件とする。
【０００６】
前記請求項１の棒状物収納容器１は、棒状物Ｘ，Ｙと受け座部材５とが係止しない構造であっても、棒状物収納状態で容器本体２の開口部にキャップ７を装着させることによって、携帯時、棒状物Ｘ，Ｙが容器本体２の外部へ飛び出すおそれがない。さらに、前記キャップ７装着により、棒状物Ｘ，Ｙまたは受け座部材５が後方に押圧されることから、容器本体２内における棒状物Ｘ，Ｙまたは受け座部材５のガタツキが抑えられる。
【０００７】
また、前記請求項１の棒状物収納容器１において、前記カム機構が、容器本体２内面に設けたカム溝３１とカム歯３２とからなるカム部３と、前方に付勢され且つ前記カム部３に係合可能な回転子４と、前記回転子４と前後に当接して前記回転子４を回転させる、受け座部材５に設けたカム斜面５３とからなり、キャップ７を装着した際の回転子４の後方への移動開始から移動終了までの移動ストロークＭを、棒状物Ｘ，Ｙまたは受け座部材５を後方へ押圧操作した際の回転子４の後方への移動開始からカム歯３２と回転子４との係合状態が解除されるまでの回転子４の移動ストロークＬよりも小さく設定すること（請求項２）が好ましい。
【０００８】
前記請求項２の棒状物収納容器１は、キャップ装着時に容器本体２内面のカム歯３２と回転子４との係合状態が解除されるおそれがないため、キャップ装着後、キャップ７を取り外しても、棒状物Ｘ，Ｙが容器本体２内に収納状態のまま維持され、棒状物Ｘ，Ｙが外部に飛び出すおそれがない。
【０００９】
【発明の実施の形態】
本発明の実施の形態を図面に従って説明する。
【００１０】
図１乃至図８に本発明の一実施例を示す。
【００１１】
本実施例の棒状物収納容器１は、容器本体２と、前記容器本体２内に前後方向に摺動可能に収容される受け座部材５と、前記受け座部材５の後方の容器本体２内に収容される回転子４と、前記容器本体２内に収容され、前記回転子４を前方に付勢する弾発体６と、前記容器本体２の開口部に装着可能なキャップ７とからなる。前記棒状物収納容器１には２種類の棒状物Ｘ、棒状物Ｙが収納される。
【００１２】
（容器本体）
前記容器本体２は、合成樹脂の射出成形により得られる、両端が開口された筒体よりなる内筒２１と、前記内筒２１の後部外周面に固着される金属製の有底筒体よりなる外筒２２とからなる。前記内筒２１の前部は前記外筒２２より前方に突出され、前記内筒２１の前部外周面には、キャップ７内周面と螺着可能な螺条が形成される。
【００１３】
前記容器本体２の後部の内周面には、鋸歯状のカム歯３２と、前記カム歯３２とカム歯３２の間に設けられ、軸方向に延びるカム溝３１からなるカム部３が形成される。さらに、前記カム溝３１とカム溝３１の間には、前記カム溝３１より径方向の深さが浅く且つ前記カム溝３１と同じ幅の軸方向に延びるガイド溝３３が形成される。また、前記カム歯３２は、二つの傾斜面（長斜面３２ａと短斜面３２ｂ）を備える。
【００１４】
（受け座部材）
前記受け座部材５は、合成樹脂の射出成形により得られる。前記受け座部材５は、棒状物Ｘ，Ｙの後端が支持される底壁５１と、該底壁５１と連設される、軸方向に延びる仕切壁５２とを備える。前記仕切壁５２は、中央の筒部５２ａと、該筒部５２ａの外面より径方向外方に放射状に突出する、軸方向に延びる複数（具体的には４本）の板状部５２ｂとからなる。前記受け座部材５の底壁５１後面の中央には、凹部５１ａが形成されると共に、前記受け座部材５の底壁５１後面の周縁部には、山形のカム斜面５３が周状に形成される。また、前記受け座部材５の底壁５１の外周面には、前記カム溝３１または前記ガイド溝３３に、前後方向に摺動可能に係合する複数（具体的には４個）のガイド突起５４が等間隔に形成される。
【００１５】
（回転子）
前記回転子４は、合成樹脂の射出成形により得られる。回転子４の前面の中央には、前記受け座部材５の底壁５１後面の凹部５１ａに挿入可能な凸部４２が形成される。また、前記回転子４の外周面は、径方向外方に突出する複数（具体的には４本）のカム突条４１が等間隔に形成される。前記カム突条４１の側部が、前記カム溝３１に前後方向に摺動可能に係合する。前記カム突条４１の前端部は、傾斜面となっており、前記カム突条４１の前端部が、前記受け座部材５後端のカム斜面５３及び容器本体２内面のカム歯３２と係合する。
【００１６】
（弾発体）
前記回転子４と前記容器本体２の底壁（外筒２２の底壁）との間には、圧縮コイルスプリングよりなる弾発体６が収容配置される。前記弾発体６により、回転子４が前方に付勢され、それに伴い、受け座部材５が前方に付勢される。
【００１７】
（押圧操作）
図４の状態（棒状物収納状態）から棒状物Ｘ，Ｙを後方に押圧操作することにより、図１の状態（棒状物突出状態）となる。さらに、図１の状態から棒状物Ｘ，Ｙを後方に押圧操作することにより、図４の状態に戻る。図６に棒状物収納状態におけるカム部３とカム突条４１の関係を示す。図７に棒状物突出状態におけるカム部３とカム突条４１の関係を示す。
【００１８】
（棒状物を収納させる操作）
棒状物Ｘ，Ｙの突出状態（図１，図６）から棒状物Ｘ，Ｙを弾発体６の前方付勢に抗して後方に押圧操作することにより、受け座部材５と共に回転子４が後方へ移動し、その際、回転子４のカム突条４１がカム溝３１に沿って後方に移動する。その後、前記カム突条４１がカム溝３１から後方に抜け出し、前記回転子４が回転方向にフリーとなる。その時、受け座部材５の山形のカム斜面５３とカム突条４１の前端部との当接によって、回転子４が回転方向に僅かに送られる。そして、前記カム突条４１の前端部が、カム部３のカム歯３２の長斜面３２ａに当接し案内され、カム歯３２と係合状態となり、棒状物Ｘ，Ｙが容器本体２内部に収納された状態（図４，図７）となる。
【００１９】
（棒状物を突出させる操作）
棒状物Ｘ，Ｙの収納状態（図４、図７）から棒状物Ｘ，Ｙを弾発体６の前方付勢に抗して後方に押圧操作すると、受け座部材５と共に回転子４が後方に移動し、前記回転子４の後方への移動が移動ストロークＬを越えると、回転子４のカム突条４１がカム歯３２から前方に抜け出し、回転方向にフリーとなる。その時、受け座部材５の山形のカム斜面５３とカム突条４１の前端部との当接によって、回転子４が回転方向に僅かに送られる。その後、カム突条４１の前端部がカム歯３２の短斜面３２ｂに当接し案内されて、次のカム溝３１に係合される。前記カム突条４１がカム溝３１に係合されると、弾発体６の前方付勢により、回転子４が大きく前方に移動すると共に受け座部材５が前方に大きく移動し、棒状物Ｘ，Ｙが容器本体２の外部へ大きく突出され、棒状物Ｘ，Ｙの取り出しが可能となる。この時、前記受け座部材５のガイド突起５４がカム溝３１の前端部内面またはガイド溝３３の前端面に当接され、それにより、受け座部材５の前方移動が規制される。
【００２０】
図５及び図８にキャップ装着状態を示す。
キャップ７内底面には、後方に突出する筒部７１が一体に形成される。前記キャップ７は、容器本体２の開口部側に着脱自在に螺子嵌合される。前記キャップ７を容器本体２の開口部側に装着した際、前記筒部７１の後端が、前記受け座部材５の筒部５２ａの前端と当接し、弾発体６の前方付勢に抗して受け座部材５を後方に押圧する。それにより、容器本体２内において、少なくとも受け座部材５のガタツキが抑止される。前記受け座部材５の後退と同時に回転子４が僅かに後退する。図８に示すように、前記回転子４のカム突条４１は、移動ストロークＭだけ、後方に移動する。前記移動ストロークＭは、カム突条４１がカム歯３２に係合された状態からカム突条４１がカム歯３２から外れるまでの回転子４の移動ストロークＬよりも小さく設定される。それにより、キャップ装着した際に、カム突条４１がカム歯３２から外れてカム溝３１に係合すること（カム機構が作動すること）を防止する。即ち、キャップ装着後に、キャップ７を取り外すと、棒状物Ｘ，Ｙが容器本体２より大きく突出したり、勢いよく飛び出すことを防止できる。
【００２１】
尚、本発明は、本実施例のように、前記キャップ７内壁により直接、棒状物Ｘ，Ｙまたは受け座部材５を押圧する構成の他、キャップ７内壁と、受け座部材５または棒状物Ｘ，Ｙとの間に、別部材を介在させ、それにより、キャップ装着の際、棒状物Ｘ，Ｙまたは受け座部材５を後方に押圧してもよい。また、本発明は、キャップ装着により、少なくとも棒状物または受け座部材のいずれかを後方に押圧する構成であればよいが、勿論、キャップ装着により、棒状物及び受け座部材の両方を同時に後方に押圧する構成でもよい。
【００２２】
【発明の効果】
請求項１により、棒状物と受け座部材とが、係止しない構造であっても、携帯時、棒状物が容器本体の外部へ飛び出すおそれがなく、さらに、キャップを装着した際に、容器本体内における棒状物または受け座部材のガタツキが抑止できる。
【００２３】
請求項２により、キャップ装着の際に容器本体内面のカム歯と回転子との係合状態が解除されるおそれがなく、キャップを取り外しても、棒状物が容器本体内に収納状態のまま維持され、棒状物が外部に飛び出すおそれがない。
【図面の簡単な説明】
【図１】本発明の一実施例の棒状物突出状態を示す縦断面図である。
【図２】図１のＡ−Ａ線断面図である。
【図３】図１の内筒、回転子、受け座部材を示す分解図である。
【図４】図１の棒状物収納状態を示す縦断面図である。
【図５】図１のキャップ装着状態を示す縦断面図である。
【図６】図１の棒状物突出状態のカム機構を説明する展開図である。
【図７】図４の棒状物収納状態のカム機構を説明する展開図である。
【図８】図５のキャップ装着状態のカム機構を説明する展開図である。
【符号の説明】
１  棒状物収納容器
２  容器本体
２１  内筒
２２  外筒
３  カム部
３１  カム溝
３２  カム歯
３２ａ  長斜面
３２ｂ  短斜面
３３  ガイド溝
４  回転子
４１  カム突条
４２  凸部
５  受け座部材
５１  底壁
５１ａ  凹部
５２  仕切壁
５２ａ  筒部
５２ｂ  板状部
５３  カム斜面
５４  ガイド突起
６  弾発体
７  キャップ
７１  筒部
Ｌ  移動ストローク
Ｍ  移動ストローク
Ｘ  棒状物
Ｙ  棒状物
【図１】
2004307041.tif 000003
【図２】
2004307041.tif 000004
【図３】
2004307041.tif 000005
【図４】
2004307041.tif 000006
【図５】
2004307041.tif 000007
【図６】
2004307041.tif 000008
【図７】
2004307041.tif 000009
【図８】
2004307041.tif 000010